(57)【特許請求の範囲】
【請求項１】
水平壁及び該水平壁の左右に設けられる側壁で形成されて上側に開放部を有し該開放部の側壁の上端から所定深さの部位に段差部が形成された側溝本体と、該側溝本体の開放部に嵌合され幅方向両側部が上記段差部に支承されるとともに前後方向の少なくともいずれか一方の端部に排水溝が形成された蓋とを備えた落蓋式側溝において、
上記蓋の表面に、上記排水溝に連通する表面溝を形成し、該表面溝を格子状に形成される格子溝と、該格子溝の各格子単体に対し対角線状に形成される対角溝とを備えて構成したことを特徴とする落蓋式側溝。
【請求項２】
水平壁及び該水平壁の左右に設けられる側壁で形成されて上側に開放部を有し該開放部の側壁の上端から所定深さの部位に段差部が形成された側溝本体と、該側溝本体の開放部に嵌合され幅方向両側部が上記段差部に支承されるとともに前後方向の少なくともいずれか一方の端部に排水溝が形成された蓋とを備えた落蓋式側溝において、
上記蓋の表面に、上記排水溝に連通する表面溝を形成し、該表面溝を格子状に形成される格子溝と、該格子溝の各格子単体に対し対角線状に形成される対角溝とを備え、
上記蓋の側部に上記表面の溝に連通する集水溝を形成し、上記側溝本体の開放部の段差部に上記蓋の集水溝に連通し、該集水溝から流れ込む水を該側溝本体内に案内するガイド溝を形成したことを特徴とする落蓋式側溝。
【請求項３】
上記表面溝を、上記格子の格子点が上記蓋の側線に位置するように形成し、上記集水溝を上記蓋の側線に位置する格子点部位に形成したことを特徴とする請求項２記載の落蓋式側溝。
【請求項４】
上記集水溝を、横断面半円状に形成したことを特徴とする請求項２または３記載の落蓋式側溝。
【発明の詳細な説明】
【０００１】
【発明の属する技術分野】
本発明は、路面が覆水しないように路面上の水を集水させる側溝の一種である落蓋式側溝に関する。
【０００２】
【従来の技術】
従来の落蓋式側溝としては、例えば、実用新案登録第３００８０３８号公報に記載のものが挙げられる。
図７に示すように、この従来の落蓋式側溝Ｓは、逆Ｕ字状の側溝本体１を備える。
側溝本体１は、上側を構成する水平壁２と水平壁２の左右に設けられる側壁３とで形成され、水平壁２には内部に連通する開放部４が形成されている。この開放部４の側壁３の上端から所定深さの部位には段差部５が形成されている。
また、従来の落蓋式側溝Ｓは、開放部４に嵌合され幅方向両側部が段差部５に支承される蓋６を備える。蓋６には、前後方向の少なくともいずれか一方の端部に排水溝７が形成されている。また、この蓋６の表面には、方形突出模様が形成されており、この模様を形成する表面溝８が排水溝７に通じるようになっている。
また、側壁３の開放部４には、蓋６から水を側溝本体１内に集水させる集水溝１１が複数設けられ、集水溝１１が設けられた側壁３に連続する段差部５には、ガイド溝１２が設けられている。
この従来の落蓋式側溝Ｓによれば、蓋６の表面の水は方形突出模様を形成する表面溝８を通って排水溝７及び集水溝１１へ誘導されて側溝本体１内に集水される。
また、蓋６の表面に形成された方形突出模様により路面の美化が図られる。
また、方形突出模様により蓋６の表面に凹凸があるので雨天時に有効なすべり止め作用が得られる。
【０００３】
【発明が解決しようとする課題】
しかしながら、従来の落蓋式側溝Ｓでは、蓋６の表面に形成された方形突出模様を形成する表面溝８によって水を排水溝７及び集水溝１１に誘導しているが、方形突出模様を形成する表面溝８の径路は格子状に配列されているので水が直角に折れ曲がる径路をジグザグに流れることになり、そのため、水の移動する自由度が低く、水の移動がスムーズに行なわれ難く側溝Ｓ表面上に水が溢れてしまうという問題があった。
また、従来において、集水溝１１が側溝本体１の開放部４に形成されているので、それだけ、開放部４の側壁３の厚さが薄くなり強度が脆くなるという問題があった。
【０００４】
本発明は、このような問題点に鑑みてなされたもので、側溝表面上に水が溢れないように蓋表面での水を移動し易くして集水効率を向上させることを図った落蓋式側溝を提供することを目的とする。また、集水機能を損なうことなく側溝本体の側壁の強度を向上させることを図った落蓋式側溝を提供することを目的とする。
【０００５】
【課題を解決するための手段】
このような課題を解決するための本発明の技術的手段は、
水平壁及び該水平壁の左右に設けられる側壁で形成されて上側に開放部を有し該開放部の側壁の上端から所定深さの部位に段差部が形成された側溝本体と、該側溝本体の開放部に嵌合され幅方向両側部が上記段差部に支承されるとともに前後方向の少なくともいずれか一方の端部に排水溝が形成された蓋とを備えた落蓋式側溝において、上記蓋の表面に、上記排水溝に連通する表面溝を形成し、該表面溝を格子状に形成される格子溝と、該格子溝の各格子単体に対し対角線状に形成される対角溝とを備えた構成とした。
蓋の表面に形成された表面溝が排水溝に連通しているので、表面溝に入った水は排水溝に誘導されて集水される。この表面溝における水の移動する自由度（水の移動方向の数）は、格子模様の交叉点において従来のが４であるのに加えて対角溝が設けられることにより８になる。更に、対角溝が設けられることにより、格子模様の格子単体（方形突状部）に新たに対角溝の交叉点が形成され、即ち、方形突出模様を跨ぐような短絡径路が設けられることになるので、水の移動する自由度が増加する。水の移動する自由度が増すことは、水がスムーズに移動し易くなることを意味するので集水効率が向上させられる。
【０００６】
また、水平壁及び該水平壁の左右に設けられる側壁で形成されて上側に開放部を有し該開放部の側壁の上端から所定深さの部位に段差部が形成された側溝本体と、該側溝本体の開放部に嵌合され幅方向両側部が上記段差部に支承されるとともに前後方向の少なくともいずれか一方の端部に排水溝が形成された蓋とを備えた落蓋式側溝において、上記蓋の側部に集水溝を形成し、上記側溝本体の開放部の段差部に上記蓋の集水溝に連通し、該集水溝から流れ込む水を該側溝本体内に案内するガイド溝を形成した構成とした。
水の集水は、排水溝を介して行なわれることに加えて、蓋の側部に集水溝を形成したのでこの集水溝からも集水が行なわれる。
また、集水溝を蓋の側部に形成しない従来のように、側溝本体の側壁に形成されたものに比較して、側壁が薄くなることなく、それだけ側溝本体の強度が高いものになる。
【０００７】
また、水平壁及び該水平壁の左右に設けられる側壁で形成されて上側に開放部を有し該開放部の側壁の上端から所定深さの部位に段差部が形成された側溝本体と、該側溝本体の開放部に嵌合され幅方向両側部が上記段差部に支承されるとともに前後方向の少なくともいずれか一方の端部に排水溝が形成された蓋とを備えた落蓋式側溝において、上記蓋の表面に、上記排水溝に連通する表面溝を形成し、該表面溝を格子状に形成される格子溝と、該格子溝の各格子単体に対し対角線状に形成される対角溝とを備え、上記蓋の側部に上記表面溝に連通する集水溝を形成し、上記側溝本体の開放部の段差部に上記蓋の集水溝に連通し、該集水溝から流れ込む水を該側溝本体内に案内するガイド溝を形成した構成とした。
蓋の表面に形成された表面溝が排水溝に連通しているので、表面溝に入った水は排水溝に誘導されて集水される。この表面溝における水の移動する自由度（水の移動方向の数）は、格子模様の格子点において従来のが４であるのに加えて対角溝が設けられることにより８になる。更に、対角溝が設けられることにより、格子模様の格子単体（方形突状部）に新たに対角溝の交叉点が形成され、即ち、方形突出模様を跨ぐような短絡径路が設けられることになるので、水の移動する自由度が増加する。水の移動する自由度が増すことは、水がスムーズに移動し易くなることを意味するので集水効率が向上させられる。
更に、水の集水は、表面溝を通って蓋の側部の表面溝に連通する集水溝に流れ込むことになり、それだけ、集水効率を向上させることができる。更にまた、蓋の側部が支承される段差部にも集水溝に連通するガイド溝を設けたので、蓋表面にて水を溢れさせることなく集水を行なわせることができる。このとき、表面溝が直接集水溝に通じるとともに、蓋表面の任意の地点から集水溝までの距離は、従来の側壁に集水溝を設けた場合に比べ蓋の側部に設けた方が短縮される。即ち、蓋表面の水が側溝本体内に集水され易くなるので集水効率が向上させられる。
【０００８】
更に、必要に応じ、上記表面溝を、上記格子の格子点が上記蓋の側線に位置するように形成し、上記集水溝を上記蓋の側線に位置する格子点部位に形成した構成とした。格子点部位では表面溝を構成する格子溝と対角溝とが集まっているので、水が集中的に集まる。ここに集水溝を形成することにより、集約的に水を側溝本体内に流下させることができるのでより一層集水効率が向上させられる。
【０００９】
更にまた、必要に応じ、上記集水溝を、横断面半円状に形成した構成とした。
曲線模様を与えることにより、蓋部表面の美化が図られる。
【００１０】
【発明の実施の形態】
以下、添付図面に基づいて本発明の実施の形態に係る落蓋式側溝を説明する。
尚、上記と同様のものには同じ記号を付す。
ここで説明する落蓋式側溝は、車道と歩道との境界に設けた。
図１乃至図３に示すように、落蓋式側溝Ｓは、側溝本体１を備える。
側溝本体１は、水平壁２を底部に備え、水平壁２の左右に設けられる側壁３で縦断面Ｕ字状に形成されている。また、側溝本体１の上側全体が開放された開放部４を有し、側壁３の上端から所定深さの内側部位に段差部５を水平に設けた。
また、落蓋式側溝Ｓは、段差部５に支承され開放部４を塞ぐ板状の蓋６を複数備える。
【００１１】
蓋６には、前後方向の少なくともいずれか一方の端部に排水溝７を形成している。排水溝７は、蓋６が連接された場合においても、外部と側溝内部とが通じる空間を保有する。
また、蓋６の表面には、排水溝７に連通する表面溝８を形成した。表面溝８は、格子状に形成された格子溝９と格子溝９の各格子単体に対し対角線状に形成された対角溝１０とから構成され、溝巾及び深さを一律にした。
格子溝９は縦横に所定間隔で設けられた直線状の溝から形成され、溝の交叉点（格子点Ｐ）における水の移動する自由度（水の移動方向の数）は、縦溝の前後と横溝の左右の４になる。対角溝１０は格子溝９が形成する格子単体（方形突状部）の４隅の格子点Ｐを対角線状に結ぶ（径路を短絡させる）直線状の溝から形成され、格子点Ｐにおける水の移動する自由度は格子点Ｐにおける縦溝と横溝との間に斜めの溝が形成されるので８になる。対角溝１０が形成されることにより、方形突状部にも交叉点Ｑが形成され、水の移動径路が増やされる。
【００１２】
この表面溝８は格子点Ｐが蓋６の側線に位置するように形成し、集水溝１１を蓋６の側線に位置する格子点Ｐ部位に形成した。
また、蓋６の側部には所定間隔で集水溝１１を４つ設けた。各集水溝１１は同一形状に横断面半円状になるように形成した。
また、側溝本体１の段差部５には、支承した蓋６の集水溝１１と連通し、側溝Ｓ内部に通じるガイド溝１２を設けた。
ガイド溝１２は、集水溝１１の断面形状と同じ断面形状を段差部５に集水溝１１及び側溝Ｓの内部と連通するように形成した。集水溝１１を蓋６の側部に形成しない従来のように、側溝本体１の側壁３に集水溝１１を形成されたものに比較して、側壁３が薄くなることなく、それだけ強度が高いものになる。
【００１３】
従って、実施の形態に係る落蓋式側溝Ｓによれば、以下のようにして、例えば、降雨時における路面の集水が行なわれる。
路面に雨が降ると、雨水は路面の両側に施工された落蓋式側溝Ｓの方へと流れていく。
落蓋式側溝Ｓの表面に達した雨水は、先ず蓋６表面の表面溝８に流入する。表面溝８を構成する格子溝９と対角溝１０に流入した雨水は、溝９，１０に流入した勢いにより溝９，１０に沿って流動し格子点Ｐ及び交叉点Ｑにおいて流量が分散されて側溝本体１内に流下される。格子点Ｐにおける水の自由度は８であり交叉点Ｑにおける水の自由度は４であるから、水の流量が分散されて水の勢いも衰える。このとき、側溝Ｓの長手方向に対して直角方向の力が強い雨水は集水溝１１からガイド溝１２を介して側溝本体１内に流下され易く、側溝Ｓの長手方向に対して平行方向の力が強い雨水は排水溝７から側溝本体１内に流下され易い。従って、雨水の蓋６表面への流入方向が多岐に亘っても蓋６表面に雨水が溢れることなくスムーズに側溝本体１内へ雨水の集水が行なわれる。
しかも、格子点Ｐ部位では表面溝８を構成する格子溝９と対角溝１０とが集まっているので、水が集中的に集まる。蓋６の側線に位置する格子点Ｐに集水溝１１を形成しているので、集約的に水を側溝本体１内に流下させることができより一層集水効率が向上させられる。
【００１４】
また、実施の形態に係る落蓋式側溝Ｓによれば、蓋６の表面に形成された格子溝９及び対角溝１０により生じる模様により路面の美化が図られる。
また、実施の形態に係る落蓋式側溝Ｓによれば、蓋６の表面には凹凸があるので雨天時に有効なすべり止め作用が得られる。
また、実施の形態に係る落蓋式側溝Ｓによれば、排水溝７や集水溝１１は、蓋６を段差部５に支承させる場合や段差部５から取り去る場合の手掛け部位として利用させることができる。
【００１５】
次に、他の実施の形態に係る落蓋式側溝Ｓについて説明する。
図４及び図５には、前記した落蓋式側溝Ｓにおいて、集水溝１１の形状及び形成位置が異なる蓋６を用いた例が示される。
集水溝１１は、蓋６の側部両端を欠く形状に設けた。前記と同様にして、側溝本体１の段差部５には、支承した蓋６の集水溝１１と連通し、側溝Ｓ内部に通じるガイド溝１２を設けた。ガイド溝１２は、集水溝１１の断面形状と同じ断面形状を段差部５に集水溝１１及び側溝Ｓ内部と連通するように形成した。
このような蓋６を用いた落蓋式側溝Ｓも、前記の落蓋式側溝Ｓと略同様の作用効果を得ることができる。
【００１６】
次に、その他の実施の形態に係る落蓋式側溝Ｓについて説明する。
図６には、前記した落蓋式側溝Ｓにおいて、集水溝１１を設けない蓋６が示される。
この場合は、蓋６に集水溝１１を設けることなく、段差部５にもガイド溝１２を設けなかった。
このような蓋６を用いた落蓋式側溝Ｓは、製造が容易になる。
【００１７】
尚、実施の形態に係る落蓋式側溝ではＵ型側溝を例にして説明したが、これに限定されることなく自由勾配側溝にしてもよい。自由勾配側溝にしても同様の作用効果を得ることができる。
【００１８】
【発明の効果】
以上説明したように、本発明の落蓋式側溝によれば、
蓋の表面に、排水溝に連通する表面溝を形成し、表面溝を格子状に形成される格子溝と、格子溝の各格子単体に対し対角線状に形成される対角溝とを備えて構成したので、表面溝に入った水は排水溝に誘導されて集水される。この表面溝における水の移動する自由度（水の移動方向の数）は、格子点において、８になるので、水が移動し易くなり集水効率を向上させることができる。また、蓋の表面に形成された格子溝及び対角溝により生じる模様により路面の美化を図ることができる。また、蓋の表面には凹凸があるので雨天時に有効なすべり止め作用を得ることができる。
【００１９】
また、蓋の側部に集水溝を形成し、側溝本体の開放部の段差部に蓋の集水溝に連通し、集水溝から流れ込む水を側溝本体内に案内するガイド溝を形成して構成したので、集水溝にて水を溢れさせることなく集水が行なわれ集水効率が向上される。また、集水溝を蓋の側部に形成しているため側壁が薄くなることがないのでそれだけ側溝本体の強度を向上させることができる。
また、蓋の表面に形成された格子溝及び対角溝により生じる模様により路面の美化を図ることができる。また、蓋の表面には凹凸があるので雨天時に有効なすべり止め作用を得ることができる。
【００２０】
また、蓋の表面に、排水溝に連通する表面溝を形成し、表面溝を格子状に形成される格子溝と、格子溝の各格子単体に対し対角線状に形成される対角溝とを備え、蓋の側部に集水溝を形成し、側溝本体の開放部の段差部に蓋の集水溝に連通し、集水溝から流れ込む水を側溝本体内に案内するガイド溝を形成して構成したので、表面溝に入った水は集水溝に誘導されて集水される。この表面溝における水の移動する自由度（水の移動方向の数）は、格子点において８になり新たに対角溝の交叉点（水の移動する自由度は４）も形成されるので、水が移動し易くなり、集水溝にて水を溢れさせることなく集水が行なわれ集水効率が向上される。
また、蓋の表面に形成された格子溝及び対角溝によって生じる模様により路面の美化を図ることができる。また、蓋の表面には凹凸があるので雨天時に有効なすべり止め作用を得ることができる。
【００２１】
更に、表面溝を、格子の格子点が蓋の側線に位置するように形成し、集水溝を蓋の側線に位置する格子点部位に形成した場合には、格子点部位に格子溝と対角溝とが集まっているので集約的に水を側溝本体内に流下させることができ、集水効率を向上させることができる。
更にまた、集水溝を、横断面半円状に形成した場合には、曲線模様を与えることにより、蓋部表面の美化を図ることができる。
【図面の簡単な説明】
【図１】本発明の実施の形態に係る落蓋式側溝を示し、（１）は断面図であり、（２）は蓋の表面を示す図である。
【図２】本発明の実施の形態に係る落蓋式側溝を示し、（１）は平面図であり、（２）はＡ−Ａ線断面図である。
【図３】本発明の実施の形態に係る落蓋式側溝の蓋の溝を説明する図である。
【図４】本発明の他の実施の形態に係る落蓋式側溝を示し、（１）は断面図であり、（２）は蓋の表面を示す図である。
【図５】本発明の他の実施の形態に係る落蓋式側溝を示し、（１）は平面図であり、（２）はＢ−Ｂ線断面図である。
【図６】本発明のその他の実施の形態に係る落蓋式側溝の蓋を示し、（１）は正面図であり、（２）は平面図である。
【図７】従来の落蓋式側溝を説明する図である。
【符号の説明】
Ｓ    落蓋式側溝
Ｐ    格子点
Ｑ    交叉点
１    側溝本体
２    水平壁
３    側壁
４    開放部
５    段差部
６    蓋
７    排水溝
８    表面溝
９    格子溝
１０  対角溝
１１  集水溝
１２  ガイド溝
【図１】
0004573476.tif 000002
【図２】
0004573476.tif 000003
【図３】
0004573476.tif 000004
【図４】
0004573476.tif 000005
【図５】
0004573476.tif 000006
【図６】
0004573476.tif 000007
【図７】
0004573476.tif 000008